(57)【要約】【目的】  本発明の目的は、、電力を必要としない検出手段を備えた害虫検出装置を提供する。【構成】  害虫検出装置は、餌材１００と、食害により餌材１００が傾く又は落下することにより作動する検出手段２００とを有する。検出手段２００は、上面が外部から視認可能な凸部２１２( 露出部) を有したベース部２１０と、このベース部２１０に上下動可能に取り付けられた移動体本体２２１を有した移動体２２０とを備え、移動体２２０は、一端部が移動体本体２２１に熱圧着された帯状のシート部材を有し、このシート部材２２２の中間部の一部には、移動体本体２２１の移動に応じて着色により凸部２１２の側面位置( 外側位置) から凸部２１２の上面位置( 露出位置) にかけて位置変位する目印部２２２ａが設けられている。【選択図】      図３
2007244251.tif 000002
【特許請求の範囲】
【請求項１】
ハウジング内の餌材が、対象生物に食害され、傾く又は落下することにより作動する検出手段を備えた生物検出装置において、この検出手段は、前記ハウジングの透明部又は開口部を通じて外部から視認可能とされた露出部を有したベース部と、このベース部に設けられており且つ前記餌材上に設置された初期位置から当該餌材の傾き又は落下により下方位置にかけて移動可能な移動体とを有し、
この移動体には、当該移動体が初期位置から下方位置にかけて移動することにより、前記ベース部の露出部の外側位置から当該ベース部の露出部上の露出位置にかけて位置変位する目印部が設けられていることを特徴とする生物検出装置。
【請求項２】
請求項１記載の生物検出装置において、前記移動体は、前記ベース部に初期位置から下方位置にかけて移動可能に設けられた移動体本体と、この移動体本体に一端部が設けられた帯状のシート部材とを有しており、このシート部材は、前記移動体本体の初期位置から下方位置にかけての移動に応じて引っ張られることにより、当該シート部材の中間部の一部が前記ベース部の露出部上を移動するように配置されており、
前記目印部は、前記シート部材の中間部の面上に設けられていることを特徴とすることを特徴とする生物検出装置。
【請求項３】
請求項２記載の生物検出装置において、前記検出手段は、前記ベース部と前記移動体本体との間に介在する付勢手段を有し、この付勢手段は、前記移移動体本体が前記餌材上に設置されることにより圧縮され、当該移動体本体を下方向に向けて付勢するようになっていることを特徴とする生物検出装置。
【請求項４】
請求項１又は２記載の生物検出装置において、前記餌材は、対象生物の食害により傾く又は落下し易くするために、一部が他の部分より脆弱化されていることを特徴とする生物検出装置。
【請求項５】
請求項４記載の生物検出装置において、前記餌材は、一部が他の部分よりも細くなっていることを特徴とする生物検出装置。
【請求項６】
請求項４記載の生物検出装置において、前記餌材は、一部が他の部分よりも強度の低い素材で構成されていることを特徴とする生物検出装置。
【請求項７】
請求項１又は２記載の生物検出装置において、前記ハウジングは、上面に開放部を有した筒状の本体部と、この本体部に取り付けられ且つ前記開放部を塞ぐ第１の蓋体とを有し、この第１の蓋体には、前記透過部又は開口部が設けられていることを特徴とする生物検出装置。
【請求項８】
請求項７記載の生物検出装置において、前記ハウジングは、前記第１の蓋体に回転可能に取り付けられた第２の蓋体を有し、前記第１の蓋体は一対の穴部を有し且つ前記本体部に螺合されるようになっており、前記第２の蓋体は、第１の蓋体の透過部又は開口部に対向する透過部又は開口部と、前記第１の蓋体の一対の穴部と連通可能な一対の孔部とを有しており、
前記一対の穴部及び孔部は、前記第１の蓋体を回転させるための治具が挿入可能となっていることを特徴とする生物検出装置。
【請求項９】
請求項８記載の生物検出装置において、前記第２の蓋体は、上面に文字、数字又は記号が付された文字盤であることを特徴とする生物検出装置。
【発明の詳細な説明】
【技術分野】
【０００１】
本発明は白蟻等の対象生物を検出する生物検出装置に関する。
【背景技術】
【０００２】
この種の生物検出装置としては、ハウジング内の餌材が、対象生物に食害され、傾く又は落下することにより作動する検出手段を備えたものがある。この検出手段は、固定接点と、この固定接点に接触しており且つ当該固定接点から離れる方向に移動可能な可動接点と、固定接点と可動接点との間に介在するスプリングと、可動接点の移動方向側に対向配置された壁部と、可動接点と壁部との間に介在する餌材とを有し、餌材が白蟻に食害されると、スプリングの付勢力により可動接点が固定接点から離反することにより作動するようになっている( 特許文献１参照) 。
【０００３】
【特許文献１】実用新案登録第２５００１０２号公報
【発明の開示】
【発明が解決しようとする課題】
【０００４】
ところが、前記検出手段は、可動接点と固定接点との離反を電気的に検出する構成上、可動接点及び固定接点に電気を供給する電源部が必要不可欠となっている。この電力部としては、前記生物検出装置が屋外に設置されるものであることから、電池等が用いられる。そのため、電池の電気残量を定期的に点検する必要があるというデメリットを有する。また、ひと度、前記電池が切れれば、対象生物を検出することが不可能であるというデメリットも有する。
【０００５】
本発明は、上記事情に鑑みて創案されたものであって、その目的とするところは、電力を必要としない検出手段を備えた生物検出装置を提供することにある。
【課題を解決するための手段】
【０００６】
上記課題を解決するために、本発明の生物検出装置は、ハウジング内の餌材が、対象生物に食害され、傾く又は落下することにより作動する検出手段を備えた生物検出装置であって、この検出手段は、前記ハウジングの透明部又は開口部を通じて外部から視認可能にされた露出部を有したベース部と、このベース部に設けられており且つ前記餌材上に設置された初期位置から当該餌材の傾き又は落下により下方位置にかけて移動可能な移動体とを有し、この移動体には、当該移動体が初期位置から下方位置にかけて移動することにより、前記ベース部の露出部の外側位置から当該ベース部の露出部上の露出位置にかけて位置変位する目印部が設けられている。
【０００７】
前記移動体は、前記ベース部に初期位置から下方位置にかけて移動可能に設けられた移動体本体と、この移動体本体に一端部が設けられた帯状のシート部材とを有した構成とすることができる。この場合、このシート部材は、前記移動体本体の初期位置から下方位置にかけての移動に応じて引っ張られることにより、当該シート部材の中間部の一部が前記ベース部の露出部上を移動するように配置されており、前記目印部が前記シート部材の中間部の面上に設けられていることが好ましい。
【０００８】
前記検出手段は、前記ベース部と前記移動体本体との間に介在する付勢手段を有し、この付勢手段は、前記移動体本体が前記餌材上に設置されることにより圧縮され、当該移動体本体を下方向に向けて付勢するようになっている。
【０００９】
前記餌材は、対象生物の食害により傾く又は落下し易くするために、一部が他の部分より脆弱化されていることが好ましい。
【００１０】
脆弱化の手法としては、餌材の一部を他の部分よりも細くする又は餌材の一部を他の部分よりも強度の低い素材で構成する等がある。
【００１１】
前記ハウジングは、上面に開放部を有した筒状の本体部と、この本体部に取り付けられ且つ前記開放部を塞ぐ第１の蓋体とを有した構成とすることができる。この場合、前記第１の蓋体には前記透過部又は開口部が設けられている。
【００１２】
前記ハウジングは、前記第１の蓋体に回転可能に取り付けられた第２の蓋体を更に有した構成とすることができる。この場合、前記第１の蓋体は一対の穴部を有し且つ前記本体部に螺合されるようになっており、前記第２の蓋体は、第１の蓋体の透過部又は開口部に対向する透過部又は開口部と、前記第１の蓋体の一対の穴部と連通可能な一対の孔部とを有しており、前記一対の穴部及び孔部は、前記第１の蓋体を回転させるための治具が挿入可能となっている。
【００１３】
前記第２の蓋体は、上面に文字、数字又は記号が付された文字盤とすることができる。  
【発明の効果】
【００１４】
本発明の請求項１に係る生物検出装置による場合、検出手段の移動体が、餌材の傾き又は落下により初期位置から下方位置にかけて移動することにより、当該移動体に設けられた目印部がベース部の露出部の外側位置から当該ベース部の露出部上の露出位置にかけて位置変位するようになっている。このため、点検者がハウジングの外部から露出位置に位置した目印部を視認することにより、対象生物を容易に検出することができる。このように前記検出手段は、電力を必要としない構成となっているので、電力が必要なスイッチ手段等と比べてメンテナンスが容易であり且つ電池切れ等により対象生物を検出できなくなるようなこともない。
【００１５】
本発明の請求項２に係る生物検出装置による場合、移動体の移動体本体が初期位置から下方位置にかけて移動すると、シート部材が前記移動体本体に引っ張られ、当該シート部材の中間部の一部が前記ベース部の露出部上を移動する。このとき、シート部材の中間部の面上に設けられた前記目印部がベース部の露出部の外側位置から当該ベース部の露出部上の露出位置にかけて位置変位する。このようにシート部材の中間部に目印部を設け、当該シート部材の中間部を前記ベース部の露出部上で移動させる構成としたことにより、検出手段の小型化を図りつつ、目印部の位置変位を簡単に行うことができる。
【００１６】
本発明の請求項３に係る生物検出装置による場合、対象生物に食されることにより餌材が傾く又は落下すると、移動体本体が付勢手段の付勢力により下方向に移動することになる。このため、前記移動体本体を移動させ易くすることができるので、対象生物の検出精度を向上させることができ、初期段階で対象生物を発見することができる。
【００１７】
本発明の請求項４に係る生物検出装置による場合、餌材の一部が脆弱化されているので、対象生物の食害により傾く又は落下し、検出手段が作動し易くなっている。即ち、対象生物の検出精度を向上させることができるので、餌材に対象生物が集り始めた初期段階で当該対象生物を検出することが可能になる。
【００１８】
本発明の請求項５に係る生物検出装置による場合、餌材の一部が他の部分よりも細くなっているので、当該一部が対象生物に食害される又は他の部分が食害されることにより、餌材がバランスを崩して倒れたり落下したりし易くなる。このように簡単な餌材の加工で当該生物検出装置の対象生物の検出精度を向上させることができる。
【００１９】
本発明の請求項６に係る生物検出装置による場合、餌材の一部が他の部分よりも強度の弱い素材で構成されているので、当該一部が他の部分よりも対象生物に食害され易く且つそのスピードも早い。このため、餌材が倒れたり落下したりし易くなる。このように簡単な餌材の加工で当該生物検出装置の対象生物の検出精度を向上させることができる。
【００２０】
本発明の請求項８に係る生物検出装置による場合、第１の蓋体の一対の穴部と、第２の蓋体の一対の孔部とを連通させた状態で、当該穴部及び孔部に治具を挿入し、前記第１の蓋体を回転させ、当該蓋体と本体部との螺合を解除することができないようになっている。このため、前記治具がなければ、第１の蓋体を本体部から取り外すことができないので、不用意に第１の蓋体が本体部から外れ、本体部内に土や埃が侵入するのを防止することができる。
【００２１】
本発明の請求項９に係る生物検出装置による場合、第２の蓋体の上面には、文字、数字又は記号が付された文字盤となっている。このため、第２の蓋体回転させ、付された文字、数字又は記号を所定位置に位置させるようにすれば、点検回数のカウントや点検した月を表示させることができる。よって、使い勝手が向上する。
【発明を実施するための最良の形態】
【００２２】
以下、本発明の実施の形態に係る生物検出装置について図面を参照しながら説明する。図１は本発明の実施の形態に係る生物検出装置の概略的斜視図、図２は同装置の概略的断面図、図３は図２のα部分の傘部を取り除いた模式的拡大図であって、( ａ) が検出手段の移動体の移動体本体が初期位置に位置した状態を示す図、( ｂ）が検出手段の移動体の移動体本体が下方位置に位置した状態を示す図、図４は同装置の検出手段の概略的斜視図であって、( ａ) が検出手段の移動体の移動体本体が初期位置に位置した状態を示す図、( ｂ）が検出手段の移動体の移動体本体が下方位置に位置した状態を示す図、図５は同装置の餌材を示す模式的側面図であって、( ａ) が中間部を細くした例を示す図、( ｂ）が下端部を先鋭化した例を示す図、( ｃ) が木材の間に紙材又は発泡スチロールを介在させた例を示す図、( ｄ）が木材の下に紙材又は発泡スチロールを介在させた例を示す図、図６は同装置の第１、第２の蓋体を回転させるための治具を示す図であって、( ａ) が正面図、( ｂ）が側面図、図７は同装置の設計変更例を示す概略的斜視図である。
【００２３】
図１及び図２に示す生物検出装置は、地中に存在する白蟻( 対象生物) を検出するものであって、対象生物に食害される餌材１００と、食害により餌材１００が傾く又は落下することにより作動する検出手段２００と、餌材１００及び検出手段２００を収容するハウジング部３００とを有した構成となっている。以下、各部を詳しく説明する。
【００２４】
ハウジング部３００は、図２に示すように、上面開放の本体部３１０と、この本体部３１０に取り付けられる第１、第２の蓋体３２０、３３０とを有する。
【００２５】
本体部３１０は、有底の円筒体３１１と、この円筒体３１１が取り付けられる傘部３１２とを有する。円筒体３１１の外周面には、白蟻を侵入させるための複数の侵入口３１１ａが１８０°ピッチ間隔で設けられている。この本体部３１０の上端には、外側に凸のフランジ部３１１ｂが設けられている。
【００２６】
傘部３１２は、断面視台形状の部材であって、中央部に取付穴３１２ａが設けられている。取付穴３１２ａは、図３に示すように、有底の穴であって、その中央部に本体部１１０を通すための開口３１２ｂが開設されている。この取付穴３１２ａの開口３１２ｂの縁部の上面には、図２に示すように、円筒状の突起部３１２ｃが設けられている。この突起部３１２ｃに円筒体３１１のフランジ部３１１ｂが当接することにより、当該円筒体３１１が傘部３１２に支持される。また、取付穴３１２ａの内周面には、ネジ溝３１２ｄが形成されている。更に、傘部３１２の上面の取付穴３１２ａの近傍には、図１に示すように、矢印部３１２ｄが設けられている。
【００２７】
第１の蓋体３２０は、図２及び図３に示すように、断面視逆凹字状の円筒体であって、上面が透明な素材( 例えば、透明なアクリル樹脂) で構成されている。即ち、第１の蓋体３２０全体が透明部となっている。この第１の蓋体３２０の上面には、一対の穴部３２１が設けられている。また、第１の蓋体３２０の天井面の中心部には、検出手段２００のベース部２１０の凸部２１２を収容する凹部３２２が設けられている。更に、第１の蓋体３２０の外周面には、傘部３１２の取付穴３１２ａのネジ溝３１２ｄと螺合するネジ溝３２３と、第２の蓋体３３０を回転可能に取り付けるためのリング状の溝部３２４とが下上に設けられている。
【００２８】
第２の蓋体３３０は、図２及び図３に示すように、第１の蓋体３２０の上端部に被せられる断面視逆凹字状の円筒体であって、上面の中心部に開口部３３１が設けられている。この開口部３３１は、第１の蓋体３２０を通じて検出手段２００のベース部２１０の凸部２１２の上面を外部から視認可能とするためのものである。
【００２９】
第２の蓋体３３０の上面の開口部３３１の両側には、第１の蓋体３２０の一対の穴部３２１と連通可能な一対の孔部３３２が設けられている。また、第２の蓋体３３０の内周面には、第１の蓋体３２０の溝部３２４に嵌まり込む凸部３３３が設けられている。この凸部３３３が第１の蓋体３２０の溝部３２４に嵌まり込むことにより、第２の蓋体３３０が第１の蓋体３２０の上端部に回転可能に取り付けられる。このように第２の蓋体３３０が第１の蓋体３２０上で回転するようになっているので、後述する治具３００を使用しない限り、第１の蓋体３２０を取付部１１２の取付孔１１２ａから取り外すことができない。これにより、点検者以外の者が当該第１の蓋体３２０を簡単に取り外せないようにしている。
【００３０】
この第２の蓋体３３０は、図１に示すように、上面に月を示す１〜１２の数字が環状に付された文字盤となっている。このため、第２の蓋体３３０を回転させ、前記数字のいずれかを傘部３１２の矢印部３１２ｄに位置合わせしておけば、前回の点検月を点検者が容易に知ることができる。
【００３１】
治具４００は、図６に示すように、先端部４１０、４１０が二股に分割された板状体である。この治具４００の先端部４１０、４１０は、第１の蓋体３２０の一対の穴部３２１及び第２の蓋体３３０の一対の孔部３３２に挿入可能な形状になっている。即ち、治具４００の先端部４１０、４１０を、互いに連通した状態の第１の蓋体３２０の一対の穴部３２１及び第２の蓋体３３０の一対の孔部３３２に挿入し、当該治具４００を周方向に回転させることにより、第１、第２の蓋体３２０、３３０を回転させることができる。これにより第１の蓋体３２０と傘部３１２の取付穴３１２ａとの螺合又は螺合の解除を行うことができる。
【００３２】
検出手段２００は、図２、図３及び図４に示すように、ベース部２１０と、移動体２２０と、ベース部２１０と移動体２２０との間に介在する付勢手段２３０とを有する。
【００３３】
ベース部２１０は、ハウジング３００の円筒体３１１のフランジ部３１１ｂ上に載置される断面視逆凹字状の円筒部２１１と、この円筒部２１１の上面の中心部に設けられた矩形状の凸部２１２とを有する。円筒部２１１の凸部２１２の両側部には、移動体２２０のシート部材２２２を通すための一対の開口部２１１ａが設けられている。凸部２１２は内部が中空であり、その天井面に下方に向けて凸のネジ穴部２１２ａが設けられている。この凸部２１２は、第１の蓋体３２０の凹部３２２に嵌まり込み、第１の蓋体３２０及び第２の蓋体３３０の開口部３３１を通じて外部から視認可能となる。即ち、凸部２１２の上面が外部から視認可能な露出部となっている。
【００３４】
移動体２２０は、移動体本体２２１と、この移動体本体２２１に取り付けられるシート部材２２２とを有する。
【００３５】
移動体本体２２１は、１段の段差部を有した円筒体であって、内部にネジ部材２４０を通すための挿入孔２２１ａが設けられている。即ち、移動体本体２２１は、挿入孔２２１ａに挿入されたネジ部材２４０により、ベース部２１０のネジ穴部２１２ａに遊びを持って取り付けられる。これにより、移動体本体２２１が餌材１００上に設置される初期位置( 図３( ａ) 及び図４( ａ) 参照) から、挿入孔２２１ａの縁部にネジ部材２４０のヘッドが当接する下方位置( 図３( ｂ) 及び図４( ｂ) 参照) にかけて上下動可能となる。
【００３６】
シート部材２２２は、ビニール等からなる帯状のシートであって、一端部が移動体本体２２１に熱圧着されている一方、他端部がベース部２１０の一対の開口部２１１ａに通され、フリーになっている。このシート部材２２２の中間部の一部には、着色により目印部２２２ａが設けられている。この目印部２２２ａは、移動体本体２２１が初期位置に位置したとき、ベース部２１０の凸部２１２の側面上の位置( 即ち、露出部の外側位置) し、移動体本体２２１が下方位置に位置したとき、当該ベース部２１０の凸部２１２の上面上( 即ち、露出部上の露出位置) に位置するように付されている。
【００３７】
付勢手段２３０としてはコイルスプリングを用いる。この付勢手段２３０は、図３に示すように、ベース部２１０の凸部２１２の天井面と、移動体２２０の移動体本体２２１の挿入孔２２１ａの縁部との間に介在する。
【００３８】
餌材１００は、木材、紙材及び／又は発泡スチロールで構成された略円柱体である。この餌材１００は、一部が他の部分に比べて脆弱化されており、白蟻の食害により傾倒又は落下し易くなっている。餌材１００の一部を脆弱化する手段としては、例えば、餌材１００の一部を他の部分に比べて径を細くしたり、第２の餌材の一部を他の部分と比べて強度の低い素材で構成したりする。
【００３９】
前者の場合には、図５( ａ) 、( ｂ）に示すように、餌材１００の基材として木材や発泡スチロールを使用し、その一部( 下端部や中間部) を削って細くする。後者の場合には、図５( ｃ) 、( ｄ）に示すように、餌材１００の基材として木材と紙材( ロール紙や段ボール) 又は発泡スチロールとを使用し、その木材の間に紙材( ロール紙や段ボール) 又は発泡スチロールを介在させたり、木材の下端に紙材( ロール紙や段ボール) 又は発泡スチロールを介在させたりする。餌材１００の一部に紙材を用いる場合には、木材の回りに巻きつけるようにしても良い。なお、木材と紙材又は発泡スチロールとは白蟻が忌避しない木工用の接着剤等で接着されていることが好ましい。
【００４０】
以下、生物検出装置の組み立て方法及び設置方法について説明する。まず、検出手段２００の移動体２２０の移動体本体２２１にシート部材２２２の一端部を熱圧着する。その後、当該移動体本体２２１の挿入孔２２１ａの縁部上に付勢手段２３０を設置する。そして、シート部材２２２の他端部をベース部２１０の円筒部２１１の一方の開口部２１１ａに通す。この状態で、当該移動体本体２２１をネジ部材２４０でベース部２１０に取り付ける。これにより、付勢手段２３０がベース部２１０の凸部２１２の天井面と、移動体２２０の移動体本体２２１の挿入孔２２１ａの縁部との間に介在する。
【００４１】
そして、シート部材２２２の他端部をベース部２１０の円筒部２１１の他方の開口部２１１ａに通す。これにより、シート部材２２２の中間部の一部がベース部２１０の凸部２１２の上面上に移動可能に位置する。このようにして検出手段２００をユニット化する。      
【００４２】
一方、第１の蓋体３２０の上端部に第２の蓋体３３０の開放部を押しつける。すると、第２の蓋体３３０の凸部３３３が第１の蓋体３２０の溝部３２４に嵌まり込む。このようにして第２の蓋体３３０を第１の蓋体３２０に取り付ける。
【００４３】
その後、ハウジング部３００の本体部３１０の円筒体３１１に餌材１００を挿入する。そして、当該円筒体３１１を、傘部３１２の取付穴３１２ａに上方から挿入する。すると、円筒体３１１のフランジ部３１１ｂが傘部３１２の取付穴３１２ａの突起部３１２ｃに当接する。これにより、円筒体３１１が傘部３１２に支持される。
【００４４】
その後、ユニット化した検出手段２００を傘部３１２の取付穴３１２ａに上方から挿入する。すると、ベース部２１０の円筒部２１１が円筒体３１１のフランジ部３１１ｂ上に載置されると共に、移動体本体２２１が餌材１００上に載置される。この際、シート部材２２２を引っ張り、当該シート部材２２２の目印部２２２ａをベース部２１０の凸部２１２の側面上に位置させる。
【００４５】
その後、第２の蓋体３３０が取り付けられた第１の蓋体３２０を傘部３１２の取付穴３１２ａに挿入し、治具４００の先端部４１０、４１０を第２の蓋体３３０の一対の孔部３３２及び第１の蓋体３２０の一対の穴部３２１に挿入して当該治具３００を周方向に回転させる。これにより第１の蓋体３２０が取付部１１２の取付孔１１２ａに螺合される。このとき、検出手段２００のベース部２１０の凸部２１２が第１の蓋体３２０に惜し下げられ、これにより付勢手段２３０が圧縮される。このようにして生物検出装置を組み立てる。
【００４６】
その後、家屋又はビルの近傍の地中に穴を堀って当該生物検出装置を埋める又は家屋やビルの基礎コンクリート等をボウリングし、当該生物検出装置を挿入する。
【００４７】
以下、生物検出装置の白蟻の検出方法について詳しく説明する。まず、地中に設置された生物検出装置の近傍にいる白蟻は、ハウジング部３００の円筒体３１１の侵入口３１１ａから内部に侵入する。
【００４８】
円筒体３１１に侵入した白蟻は、餌材１００を食害する。このとき、餌材１００の一部が、図５( ａ) 又は( ｂ）に示すように、他の部分よりも細くなっている場合には、白蟻の食害により、餌材１００がバランスを失って倒れる又は前記一部が食害されることにより落下する。一方、餌材１００の一部が、図５( ｃ) 又は( ｄ）に示すように、他の部分よりも強度の低い素材で構成されている場合には、白蟻は強度が低い柔らかいものを食害し易いという性質があるので、前記一部が前記他の部分よりも食害され、餌材１００が倒れる又は落下する。
【００４９】
このように餌材１００が倒れたり落下したりすると、検出手段２００の移動体２２０の移動体本体２２１が付勢手段２３０の付勢力により初期位置( 図３( ａ) 参照) から下方位置( 図３( ｂ) 参照) にかけて移動する。すると、シート部材２２２の一端部が移動体本体２２１に引っ張られ、これにより当該シート部材２２２の中間部がベース部２１０の凸部２１２上を移動し、当該シート部材２２２の目印部２２２ａがベース部２１０の凸部２１２の側面上の位置( 即ち、ベース部２１０の露出部の外側位置) から、当該ベース部２１０の凸部２１２の上面上( 即ち、ベース部２１０の露出部上の露出位置) に位置変位する。これにより、目印部２２２ａが第１の蓋体３２０及び第２の蓋体３３０の開口部３３１を通じて外部から視認可能となる。家主や管理者は目印部２２２ａの有無を定期的又は任意にチェックし、白蟻の存在を確認する。
【００５０】
また、第１、第２の蓋体３２０、３３０を取り外し、傘部３１２の取付穴３１２ａ内に蟻道等の白蟻の痕跡が形成されていないかチェックすることも可能である。
【００５１】
このような生物検出装置による場合、検出手段２００は、餌材１００が倒れたり落下したりすると、移動体２２０の移動体本体２２１が付勢手段２３０の付勢力により初期位置( 図３( ａ) 参照) から下方位置( 図３( ｂ) 参照) にかけて移動することにより、シート部材２２２の一端部が移動体本体２２１に引っ張られ、これにより当該シート部材２２２の目印部２２２ａがベース部２１０の凸部２１２の側面上の位置から、当該ベース部２１０の凸部２１２の上面上に位置変位する構成となっている。このようのに検出手段２００は、従来例のスイッチ手段の如く電力を必要としないので、電池の交換などのメンテナンスが不要になり、使い勝手が向上する。
【００５２】
しかも、餌材１００の一部を他の部分よりも脆弱化し、白蟻の食害により倒れたり落下したりし易くしているので、従来例よりも速く検出手段２００を作動させることができる。よって、白蟻の検出精度が向上し、初期段階で白蟻を検出することが可能になる。
【００５３】
なお、ハウジング部３００については、餌材１００、検出手段２００を収容できれば良く、上記実施例の形状に限定されるものではない。例えば、ハウジング部３００の傘部３１２の形状を、図７に示すように、ドーム状とすることもできる。また、ハウジング部３００の外壁面には、白蟻が嫌う紫外線が地中に入射しないようにするためのフランジを設けることができる。このフランジには紫外線を反射する塗料などを塗布することが好ましい。同様に傘部３１２に前記塗料を塗布するようにしても良い。
【００５４】
また、円筒体３１１には、白蟻が侵入するための侵入口３１１ａが設けられているとしたが、これに代えて、円筒体３１１の少なくとも一部を白蟻が浸食可能な素材で構成するようにしても良い。この場合、白蟻が、前記素材で構成された部分を壊しつつ円筒体３１１内部に侵入し、その後、蟻道により侵入した道を塞ぐことから、白蟻以外の虫が円筒体３１１に侵入するのを防止することができる。
【００５５】
第１の蓋体３２０については、全体が透明であるとしたが、これに代えてベース部２１０の凸部２１２の上面を外部から視認可能とするための開口部を設けるようにしても良い。
【００５６】
第２の蓋体３３０については、設けるか否かは任意である。また、第２の蓋体３３０の上面には、点検月を示す１〜１２の数字が付されているとしたが、これに代えて文字、記号又はこれらの組み合わせを付すようにしても良い。この数字等は、点検月を示すものだけに限定されるものではない。例えば、前回の点検者を示す記号等とすることもできる。
【００５７】
餌材１００については、少なくとも一部が他の部分よりも脆弱化されていることが好ましいが、これに限定されるものではない。また、木材、紙材又は発泡スチロールに限定されることなく、他の素材の組み合わせも使用可能である。餌材１００の形状については、柱状であるとしたが、これに限定されるものではない。
【００５８】
検出手段２００については、上記実施例に限定されるものではなく、移動体が餌材の傾き又は落下により移動し、これにより目印部がハウジング外部から視認可能であればどのように設計変更してもかまわない。
【００５９】
移動体２２０の移動体本体２２１の自重により、シート部材２２２上の目印部２２２ａが位置変位可能である場合には、付勢手段２３３を設けなくても良い。この付勢手段２３０は、コイルスプリングだけに限定されるものではなく、円筒状のゴム等その他の弾性体を用いることができる。目印部はシート部材に付する形態に限定されるものでなく、移動体自体に付することも可能である。また、目印部は着色によるものだけでなく、移動体に設けた突起物等によっても代用可能である。
【００６０】
なお、上記実施例では、対象生物は白蟻であるとして説明したが、クロアリ等の蟻や土中生物などその他の対象生物を検出する装置としても適応可能であることはいう迄もない。
【図面の簡単な説明】
【００６１】
【図１】本発明の実施の形態に係る生物検出装置の概略的斜視図である。
【図２】同装置の概略的断面図である。
【図３】図２のα部分の傘部を取り除いた模式的拡大図であって、( ａ) が検出手段の移動体の移動体本体が初期位置に位置した状態の図、( ｂ）が検出手段の移動体の移動体本体が下方位置に位置した状態の図である。
【図４】同装置の検出手段の概略的斜視図であって、( ａ) が検出手段の移動体の移動体本体が初期位置に位置した状態の図、( ｂ）が検出手段の移動体の移動体本体が下方位置に位置した状態の図である。
【図５】同装置の餌材を示す模式的側面図であって、( ａ) が中間部を細くした例を示す図、( ｂ）が下端部を先鋭化した例を示す図、( ｃ) が木材の間に紙材又は発泡スチロールを介在させた例を示す図、( ｄ）が木材の下に紙材又は発泡スチロールを介在させた例を示す図である。
【図６】同装置の第１、第２の蓋体を回転させるための治具を示す図であって、( ａ) が正面図、( ｂ）が側面図である。
【図７】同装置の設計変更例を示す概略的斜視図である。
【符号の説明】
【００６２】
１００    餌材
２００    検出手段
２１０    ベース部
２２０    移動体
２２１    移動体本体
２２２    シート部材
２２２ａ  目印部
３００    ハウジング部
３１０    本体部
３２０    第１の蓋体
３３０    第２の蓋体
【図１】
2007244251.tif 000003
【図２】
2007244251.tif 000004
【図３】
2007244251.tif 000005
【図４】
2007244251.tif 000006
【図５】
2007244251.tif 000007
【図６】
2007244251.tif 000008
【図７】
2007244251.tif 000009